(57)【特許請求の範囲】
【請求項１】
受付手段、判別手段、接続制御手段、および、記憶手段を備える利用者端末が、オーダを複数の受付サーバのいずれかに送信するオーダ送信方法であって、
前記記憶手段は、複数の取引内容と特権レベルとを対応付ける情報と、特権レベルと接続先の受付サーバとを対応付ける情報とを含む接続先ファイルを記憶しており、
前記オーダ送信方法は、
前記受付手段が、取引内容を示す情報を含むオーダの入力を受け付ける受付工程と、
前記判別手段が、前記接続先ファイルを参照して、前記入力されたオーダに含まれる取引内容を示す情報に基づいて、前記入力されたオーダに対応付けられている特権レベルを判別する判別工程と、
前記接続制御手段が、前記接続先ファイルを参照して、前記判別された特権レベルに対応する受付サーバを特定し、当該特定した受付サーバに接続して前記オーダを送信する接続制御工程と、
を備える、ことを特徴とするオーダ送信方法。
【請求項２】
オーダを複数の受付サーバのいずれかに送信する利用者端末であって、
複数の取引内容と特権レベルとを対応付ける情報と、特権レベルと接続先の受付サーバとを対応付ける情報とを含む接続先ファイルを記憶する記憶手段と、
前記取引内容を示す情報を含むオーダの入力を受け付ける受付手段と、
前記接続先ファイルを参照して、前記入力されたオーダに含まれる取引内容を示す情報に基づいて、前記入力されたオーダに対応付けられている特権レベルを判別する判別手段と、
前記接続先ファイルを参照して、前記判別された特権レベルに対応する受付サーバを特定し、当該特定した受付サーバに接続して前記オーダを送信する接続制御手段と、
を備えることを特徴とする利用者端末。
【請求項３】
前記接続制御手段は、前記接続先ファイルを参照して、前記判別された特権レベル、および、当該特権レベルより低い順位の特権レベルに対応付けられている受付サーバを特定し、当該特定した受付サーバのいずれかに接続して、前記オーダを送信する、
ことを特徴とする請求項２に記載の利用者端末。
【請求項４】
前記入力されたオーダに含まれる取引内容を示す情報は、取引額を特定する情報を含み、
前記接続先ファイルには、取引額と特権レベルとを対応付ける情報が格納されており、
前記判別手段は、前記入力されたオーダに含まれる取引額を特定する情報から取引額を特定し、前記接続先ファイルを参照して、当該特定した取引額に対応付けられた特権レベルを、前記入力されたオーダに対する特権レベルとして判別する、
ことを特徴とする請求項２又は３に記載の利用者端末。
【請求項５】
前記入力されたオーダに含まれる取引内容を示す情報は、取引商品を特定する取引商品情報を含み、
前記接続先ファイルには、取引商品に基づいて算出される合計取引ポイントと特権レベルとを対応付ける情報が格納されており、
前記判別手段は、前記入力されたオーダに含まれる取引商品情報によって特定される複数の取引商品のそれぞれに予め対応付けられた所定の取引ポイントを合計して合計取引ポイントを算出し、前記接続先ファイルを参照して、当該合計取引ポイントに対応付けられている特権レベルを、前記入力されたオーダに対する特権レベルとして判別する、
ことを特徴とする請求項２又は３に記載の利用者端末。
【請求項６】
コンピュータを、オーダを複数の受付サーバのいずれかに送信する利用者端末として機能させるためのプログラムを記録したコンピュータ読み取り可能な記録媒体であって、
該コンピュータを、
複数の取引内容と特権レベルとを対応付ける情報と、特権レベルと接続先の受付サーバとを対応付ける情報とを含む接続先ファイルを記憶する記憶手段、
前記取引内容を示す情報を含むオーダの入力を受け付ける受付手段、
前記接続先ファイルを参照して、前記入力されたオーダに含まれる取引内容を示す情報に基づいて、前記入力されたオーダに対応付けられている特権レベルを判別する判別手段、
前記接続先ファイルを参照して、前記判別された特権レベルに対応する受付サーバを特定し、当該特定した受付サーバに接続して前記オーダを送信する接続制御手段、
として機能させるためのプログラムを記録したコンピュータ読み取り可能な記録媒体。
【発明の詳細な説明】
【０００１】
【発明の属する技術分野】
本発明は、ネットワークを介して利用者からオーダを受け付けるオーダ受付方法及び利用者端末等に関する。
【０００２】
【従来の技術】
従来、情報通信技術の発達により、例えば公営競技における電子投票システムやネットオークションシステム等のように、ネットワークを介して利用者からオーダを受け付けることができるシステムが存在する。
【０００３】
【発明が解決しようとする課題】
しかし、上記のようなシステムでは、受付締切直前に利用者からのオーダが受付サーバに集中し、受付サーバの同時アクセス数の限界や処理能力を超過した為に、利用者がサービスを受けられない事態が発生していた。
このような場合、サービス運営者にとって、より収益の上がるような大口の利用者からのオーダを逃してしまう可能性がある。また、利用者側でも、客観的に大口の取引であるにもかかわらず、オーダが受け付けられなかったという不満が高まるという問題がある。
【０００４】
本発明は、上述した事情に鑑みてなされたもので、サービスの運営上有益なオーダを優先的に受け付けることが可能なオーダ受付方法及び利用者端末等を提供することを目的とする。
【０００５】
【課題を解決するための手段】
上記目的を達成するため、本発明の第１の観点に係るオーダ送信方法は、
受付手段、判別手段、接続制御手段、および、記憶手段を備える利用者端末が、オーダを複数の受付サーバのいずれかに送信するオーダ送信方法であって、
前記記憶手段は、複数の取引内容と特権レベルとを対応付ける情報と、特権レベルと接続先の受付サーバとを対応付ける情報とを含む接続先ファイルを記憶しており、
前記オーダ送信方法は、
前記受付手段が、取引内容を示す情報を含むオーダの入力を受け付ける受付工程と、
前記判別手段が、前記接続先ファイルを参照して、前記入力されたオーダに含まれる取引内容を示す情報に基づいて、前記入力されたオーダに対応付けられている特権レベルを判別する判別工程と、
前記接続制御手段が、前記接続先ファイルを参照して、前記判別された特権レベルに対応する受付サーバを特定し、当該特定した受付サーバに接続して前記オーダを送信する接続制御工程と、
を備える、
ことを特徴とする。
【０００６】
このような構成によれば、利用者端末において、所定の基準に従ってオーダの特権レベルを決定し、決定された特権レベルに対応する接続先を特定するようにしているため、例えばサービス運営上有益なオーダについては、対応する接続先の数が多い特権レベルを付与する等して、オーダ集中時等においても優先的な受付を可能とする。
【０００７】
また、本発明の第２の観点に係る利用者端末は、
オーダを複数の受付サーバのいずれかに送信する利用者端末であって、
複数の取引内容と特権レベルとを対応付ける情報と、特権レベルと接続先の受付サーバとを対応付ける情報とを含む接続先ファイルを記憶する記憶手段と、
前記取引内容を示す情報を含むオーダの入力を受け付ける受付手段と、
前記接続先ファイルを参照して、前記入力されたオーダに含まれる取引内容を示す情報に基づいて、前記入力されたオーダに対応付けられている特権レベルを判別する判別手段と、
前記接続先ファイルを参照して、前記判別された特権レベルに対応する受付サーバを特定し、当該特定した受付サーバに接続して前記オーダを送信する接続制御手段と、
を備えることを特徴とする。
【０００８】
このような構成によれば、利用者端末において、所定の基準に従ってオーダの特権レベルを決定し、決定された特権レベルに対応する接続先を特定するようにしているため、例えばサービス運営上有益なオーダについては、対応する接続先の数が多い特権レベルを付与する等して、オーダ集中時等においても優先的な受付を可能とする。
【０００９】
例えば、前記接続制御手段は、前記接続先ファイルを参照して、前記判別された特権レベル、および、当該特権レベルより低い順位の特権レベルに対応付けられている受付サーバを特定し、当該特定した受付サーバのいずれかに接続して、前記オーダを送信するようにしてもよい。
また、前記入力されたオーダに含まれる取引内容を示す情報は、取引額を特定する情報を含み、
前記接続先ファイルには、取引額と特権レベルとを対応付ける情報が格納されており、
前記判別手段は、前記入力されたオーダに含まれる取引額を特定する情報から取引額を特定し、前記接続先ファイルを参照して、当該特定した取引額に対応付けられた特権レベルを、前記入力されたオーダに対する特権レベルとして判別してもよい。
また、前記入力されたオーダに含まれる取引内容を示す情報は、取引商品を特定する取引商品情報を含み、
前記接続先ファイルには、取引商品に基づいて算出される合計取引ポイントと特権レベルとを対応付ける情報が格納されており、
前記判別手段は、前記入力されたオーダに含まれる取引商品情報によって特定される複数の取引商品のそれぞれに予め対応付けられた所定の取引ポイントを合計して合計取引ポイントを算出し、前記接続先ファイルを参照して、当該合計取引ポイントに対応付けられている特権レベルを、前記入力されたオーダに対する特権レベルとして判別してもよい。
これにより、大口のオーダの優先的な受付を可能とする。
【００１０】
また、本発明の第３の観点に係る記録媒体は、
コンピュータを、オーダを複数の受付サーバのいずれかに送信する利用者端末として機能させるためのプログラムを記録したコンピュータ読み取り可能な記録媒体であって、
該コンピュータを、
複数の取引内容と特権レベルとを対応付ける情報と、特権レベルと接続先の受付サーバとを対応付ける情報とを含む接続先ファイルを記憶する記憶手段、
前記取引内容を示す情報を含むオーダの入力を受け付ける受付手段、
前記接続先ファイルを参照して、前記入力されたオーダに含まれる取引内容を示す情報に基づいて、前記入力されたオーダに対応付けられている特権レベルを判別する判別手段、
前記接続先ファイルを参照して、前記判別された特権レベルに対応する受付サーバを特定し、当該特定した受付サーバに接続して前記オーダを送信する接続制御手段、
として機能させるためのプログラムを記録する。
【００１１】
【発明の実施の形態】
以下、本発明に係る実施の形態として、公営競技における電子投票のオーダを受け付けるオーダ受付システムを例に図面を参照して説明する。
本発明の実施の形態に係るオーダ受付システムのシステム構成図を図１に示す。図示されるように、このオーダ受付システムは、利用者端末１と、受付サーバ２１と処理サーバ２２と投票データベース２３を含むサービスセンタ２と、を備える。利用者端末１とサービスセンタ２は所定のサービス提供網により接続されている。
【００１２】
利用者端末１は、各利用者がサービスセンタ２に対して投票を行うためのものであり、例えば図２に示すように、制御部１１と、記憶部１２と、入力部１３と、表示部１４と、出力部１５と、入出力制御部１６と、を備える。
【００１３】
制御部１１は、記憶部１２に記憶される制御プログラムやアプリケーションを読み込んで実行することにより、投票内容に関するオーダ情報の作成、取引金額の計算、オーダ情報の送信制御等の処理を行う。
具体的には、制御部１１は、投票内容等の入力画面を表示部１４に表示し、入力部１３から投票内容（賭式、組番、投票枚数、等）と投票の指示等が入力されると、これに応答して、入力データに基づくオーダ情報を作成する。また、記憶部１２から接続先アドレスファイルを読み出す。
【００１４】
接続先アドレスファイルは、例えば図３に示すように、計算方法情報、条件式情報、接続先サーバアドレス、パスワード等を記憶する。
計算方法情報は、オーダの内容から例えば取引金額（購入金額）等を算出するための計算式やデータ等を含む。条件式情報は、利用者からのオーダに付与する特権レベルＬ（Ｌ１、Ｌ２、Ｌ３・・・）を判定するための条件式を示し、例えば算出値（取引金額）が高くなるに従い、それに対応する特権レベルも高くなるよう設定されている。また、各条件式情報には、オーダの送信先のアドレスを示す接続先サーバアドレスと、サーバの認証用のパスワードがそれぞれ対応付けられている。
【００１５】
制御部１１は、算出結果を接続先アドレスファイルにおける各条件式情報と照合して、該当する特権レベルを特定する。そして、特定された特権レベル及びそれより低い全ての特権レベルに対応する接続先サーバアドレスを、特定された特権レベルにおいて接続可能な受付サーバ２１のアドレスとみなし、該当する接続先サーバアドレス及びパスワードを抽出し、抽出したデータを含む特権レベル管理テーブルを生成して記憶部１２に記憶する。この特権レベル管理テーブルの一例を図４に示す。
【００１６】
次に、制御部１１は、生成した特権レベル管理テーブルに基づいて、サービスセンタ２における受付サーバ２１に接続してオーダ情報の送信を行う。このとき、制御部１１は、特権レベル管理テーブルを参照し、まず、その中で最も高い特権レベルに対応する接続先サーバアドレスに対してアクセスを試み、接続できた場合には、認証用のパスワードとオーダ情報をその受付サーバ２１に送信する。
【００１７】
また、受付サーバ２１に接続できない場合には、特権レベル管理テーブルにおける特権レベルを順次下げていき、下位の特権レベルに対応する接続先サーバアドレスに対してアクセスを試み、接続できた場合にはオーダ情報の送信を行う。また、特権レベル管理テーブルにおけるいずれの接続先サーバアドレスに対しても接続できない場合には、ビジー状態である旨を表示部１４に表示して、接続処理を終了する。
【００１８】
例えば図５に示すように、（取引金額）＝（購入単価）×（購入枚数）という計算式と、（購入単価）＝１００円というデータ等が計算方法情報に設定され、取引金額に応じた条件式が各条件式情報にそれぞれ設定されているような接続先アドレスファイルが記憶部１２に記憶されている場合であって、計算方法情報に従って算出された取引金額が２５００円の場合には、条件式Ｃ「２０００円＜取引金額≦３０００」に該当するとして「特権レベルＬ３」が選択され、例えば図６（Ａ）に示すような、特権レベルＬ３及びそれ以下の特権レベルＬ１、Ｌ２に対応する接続先サーバアドレス等を含む特権レベル管理テーブルが生成される。また、算出された取引金額が９００円の場合には、条件式Ａ「０円＜取引金額≦１０００円」に該当するとして「特権レベルＬ１」が特定され、例えば図６（Ｂ）に示すような、特権レベルＬ１に対応する接続先サーバアドレス等を含む特権レベル管理テーブルが生成される。
【００１９】
図６（Ａ）に示す特権レベル管理テーブルに基づいて制御部１１がオーダを送信するときには、そのアクセス先が、接続先サーバアドレスＡｄ３と、接続先サーバアドレスＡｄ２と、接続先サーバアドレスＡｄ１と、の３カ所あるが、図６（Ｂ）に示す特権レベル管理テーブルに基づいてオーダを送信するときには、アクセス先は接続先サーバアドレスＡｄ１のみとなる。これにより、取引金額のより多いオーダを送信するときの方が、受付サーバ２１に接続される可能性が高くなる。
【００２０】
また、制御部１１は、例えば、オーダ情報を受付サーバ２１に送った後、受付内容（オーダの内容）等を示す受付確認情報をサービスセンタ２から受信し、例えば出力部１５から出力させる。
【００２１】
記憶部１２は、制御部１１により実行される制御プログラム、アプリケーション等の他に、接続先アドレスファイル、特権レベル管理テーブル等を記憶する。なお、接続先アドレスファイルは暗号化されて記憶されており、利用者が直接的に読むことは不可能となっている。
【００２２】
入力部１３は、マウス、キーボード、タッチパネル等の入力装置を含み、利用者から投票内容等の入力を受け付ける。
表示部１４は、ＣＲＴ、液晶ディスプレイ等を含み、投票内容の入力画面等を表示する。
出力部１５は、プリンタ等の印刷装置を含み、サービスセンタ２から受信した受付確認情報等を出力する。
入出力制御部１６は、制御部１１からの指示に従って、入力部１３と表示部１４と出力部１５についての入力出力制御を行う。
【００２３】
サービスセンタ２における受付サーバ２１は、各利用者端末１からのオーダ情報を受信し、受信したオーダ情報について所定のチェック（オーダの適正性のチェック、支払手段のチェック等）を行い、オーダ情報を投票データベース２３に登録するとともに、受け付けた投票内容を示す受付確認情報を利用者端末１に返信する。
【００２４】
処理サーバ２２は、例えば、受け付けたオーダについての決済処理、オーダの集計処理、競技結果に基づく配当金の算出・精算処理等を行う。例えば、支払手段として、「プリペイド」が選択されている場合には、予め利用者から支払われている資金から、オーダが示す購入金額を差し引く等の処理を行う。また、支払手段として「ジャストペイド」が選択されている場合には、利用者の資金からオーダが示す購入金額相当の資金を運営側にリアルタイムで移動する等の処理を行う。また、「ポストペイド」が選択されている場合には、競技の終了後等の所定のタイミングで、利用者の資金から購入金額の総額を運営側に移動する等の処理を行う。
投票データベース２３は、各利用者端末１から受け付けたオーダ情報や競技結果等を記憶する。
【００２５】
次に、本発明の特徴部分である利用者端末１の動作を具体例を用いて図７のフローチャートを参照して説明する。
まず、利用者端末１の制御部１１は、オーダが入力されたか否かを判別し（ステップＳ１）、オーダが入力されると、記憶部１２に記憶されている接続先アドレスファイルから、計算方法情報、各特権レベルの条件式、各条件式に対応する接続先サーバアドレス及びパスワード等を読み出す（ステップＳ２）。そして、ステップＳ２で読み出した計算方法情報に従って所定の計算を行い、算出結果に対応する特権レベルを特定する（ステップＳ３）。
【００２６】
例えば図５に示すような接続先アドレスファイルを用いる場合であって、利用者から受け付けたオーダに購入枚数が２５枚と設定されている場合には、計算方法情報（（取引金額）＝（購入単価）×（購入枚数）、（購入単価）＝１００円）に基づいて、取引金額「２５００円」（＝１００円×２５枚）が算出され、各条件式情報が示す条件式の中から、取引金額「２５００」に該当する条件式（２０００円＜取引金額≦３０００）が選択され、特権レベルＬ３が特定される。
【００２７】
次に、制御部１１は、特定された特権レベル及びそれより低い全ての特権レベルに対応する接続先サーバアドレス及びパスワードを抽出し、抽出したデータを含む特権レベル管理テーブルを生成する（ステップＳ４）。
例えば図５に示す接続先アドレスファイルにて特権レベルＬ３が特定された場合には、特権レベルＬ１、Ｌ２、Ｌ３に対応する接続先サーバアドレス及びパスワードを抽出し、図６（Ａ）に示すような、特権レベル管理テーブルが生成される。
【００２８】
次に、制御部１１は、ステップＳ４で生成した特権レベル管理テーブルを参照し、その中で最も高い特権レベルに対応する接続先サーバアドレスに対してアクセスを試みる（ステップＳ５）。
例えば図６（Ａ）に示す特権レベル管理テーブルを参照した場合には、最も特権レベルの高い「特権レベルＬ３」に対応する接続先サーバアドレスＡｄ３の受付サーバ２１にアクセスする。
【００２９】
そして、接続先の受付サーバ２１に接続できたか否かを判別し（ステップＳ６）、接続できた場合、制御部１１は、例えば認証用のパスワードを送信して認証を受けた後、オーダ情報をその受付サーバ２１に送信して（ステップＳ７）、処理を終了する。
【００３０】
また、ステップＳ６において、接続先の受付サーバ２１に接続できないと判別された場合、制御部１１は、特権レベル管理テーブルにおいて、今よりも低い特権レベルの接続先サーバアドレスが登録されているか否かを判別する（ステップＳ８）。
【００３１】
ステップＳ８で、下位の特権レベルの接続先サーバアドレスが登録されていないと判別された場合には、ビジー状態である旨の表示を行って（ステップＳ９）、処理を終了する。
【００３２】
また、ステップＳ８で、下位の特権レベルの接続先サーバアドレスが登録されれていると判別された場合には、処理対象の特権レベルを下げて、１つ下の特権レベルに対応する接続先サーバアドレスに対してアクセスを試み（ステップＳ１０）、ステップＳ６に戻って、接続の可否を判別する。そして、接続が可能となってオーダ情報を送信するか、又は、特権レベル管理テーブルにおいて下位の特権レベルの接続先サーバアドレスがなくなることにより本処理が終了するまで、ステップＳ６、Ｓ８、Ｓ１０を繰り返す。
【００３３】
例えば、図６（Ａ）の特権レベル管理テーブルに従って、受付サーバにアクセスする場合には、初めに、特権レベルＬ３に対応する接続先サーバアドレスＡｄ３に対してアクセスし、接続できた場合にはオーダ情報を送信し、接続できなかった場合には、下位の特権レベルＬ２に対応する接続先サーバアドレスＡｄ２に対してアクセスする。そして、接続先サーバアドレスＡｄ２の受付サーバ２１にアクセスできた場合にはオーダ情報を送信し、接続できなかった場合には、下位の特権レベルＬ１に対応する接続先サーバアドレスＡｄ１に対してアクセスする。そして、接続先サーバアドレスＡｄ１の受付サーバ２１に対してアクセスできた場合にはオーダ情報を送信し、接続できなかった場合にはビジー状態である旨を表示する。
【００３４】
このようにして、オーダについて所定の基準に従って特権レベルを設定し、特権レベルが高くなるにつれて接続可能なサーバ数が増加する仕組みにしているため、サービス運営上、有益なオーダを優先的に受け付けて、その利用者に対してサービスを提供することができる。
【００３５】
また、利用者端末１において、接続先アドレスファイルを用意し、例えば、状況に応じて、使用される接続先アドレスファイルを選択するようにしてもよい。
例えば、決済方法に応じた接続先アドレスファイルが使用対象として選択されるようにしてもよい。この場合、例えば支払方法が利用者によって選択されたときに使用対象の接続先アドレスファイルを変更してもよい。
また、例えば、ＩＣカードを用いた電子マネー決済の場合には、ＩＣカードに電子マネーをチャージする際に、例えばチャージ金額等に応じた接続先アドレスファイルに変更するようにしてもよい。
また、例えば、所定のサービス期間中にユーザ登録した人のみに、内容（計算方法等）が一般よりも有利な接続先アドレスファイルを提供するようにしてもよい。この場合には、例えば、特定のユーザを確認するための情報（ユーザＩＤ、パスワード）の入力を受け付けて、入力されたデータが正しい場合に、対応する接続先アドレスファイルを提供する。
また、過去の取引金額等の利用履歴に応じて利用者のグレードを設定し、そのグレードに応じた接続先アドレスファイルを使用するようにしてもよい。
【００３６】
また、計算方法情報に従って計算する際に、決済方法等に応じた補正を行うようにしてもよい。例えば、決済方法として「プリペイド」、「ジャストペイド」、「ポストペイド」のいずれかを利用者に選択させる場合、決済方法として「プリペイド」や「ジャストペイド」が選択されたときには、それぞれに対応する所定値を算出値にさらに加算するようにしてもよい。
また、電子マネーのチャージ金額やユーザのグレード等に応じて、上記のように、計算処理における補正を行うようにしてもよい。
【００３７】
また、例えば最高の特権レベルに対しては、ほぼ確実に（例えば、８０％の確率等）に受付サーバ２１に接続できるような所定数の接続先サーバアドレスを割り振るようにしてもよい。この最高の特権レベルに対して割り振られる接続先の数は、例えば経験又は計算等に基づいて求める。
【００３８】
なお、本発明の実施形態として、公営競技において投票を受け付けるためのシステムを例に説明したが、本発明は、これに限定されず、利用者からのオーダを受け付ける他のシステムについても適用可能である。例えば、オークションを行うシステム、商品の販売を行うシステム、商品の予約を受け付けるシステム等に適用してもよい。
【００３９】
また、上記説明における計算方法情報や条件式情報の内容は一例であり、その内容は任意である。例えば、購入金額だけでなく、他の種々の要素も考慮した計算方法を採用してもよい。例えば、商品を販売するシステムにおいて、各商品に予めポイントを付与しておき、利用者から入力されたオーダについて、購入対象とされる商品のポイントを合算し、合算されたポイントが高いほど、特権レベルが高くなるように計算式情報及び条件式情報を設定してもよい。
【００４０】
また、特権レベルが高くなるにつれて、それに対応する接続先サーバアドレスの最大同時接続可能数が多くなるようにしてもよい。
【００４１】
また、接続先アドレスファイルをＩＣカード等の記憶媒体に格納しておき、利用者端末１が、オーダを送信するときに記憶媒体から読み出して使用するようにしてもよい。
【００４２】
また、接続先アドレスファイルはパスワードを含んでいるため、セキュリティ上、所定のタイミングでパスワードを更新することが望ましい。この場合のパスワードの更新方法は任意であり、例えば、パスワードの有効期限を定め、その期限までに、利用者が接続先アドレスファイル全体又はパスワード部分のみを新たにダウンロードしてもよく、また、利用者端末１が自動的にダウンロードするようにしてもよい。
【００４３】
また、受付サーバ２１にアクセスするための認証用のパスワードを使用しないようにしてもよい。この場合、受付サーバ２１のアドレスを秘密にし、しらみつぶしにサーバが探索されることを回避するような仕組みをサービスセンタ２で構築することが望ましい。
【００４４】
また、サービスセンタ２側で、計算方法情報等を変更したい場合には、新たな接続先アドレスファイルをのみを通信又は媒体等を介して各利用者端末１に供給し、各利用者端末１で接続先アドレスファイルを差し替えるだけでよく、利用者端末１におけるアプリケーション等は変更しなくてもよいため、優先対象の変更が容易に可能となる。
【００４５】
また、受付先サーバ毎の認証パスワードを用いることにより、受付サーバ２１では利用者端末毎の認証を行う必要がなく、受付サーバ２１での認証処理を軽減することが可能となった。
【００４６】
また、特権レベル管理テーブルが示す接続先サーバアドレスについて、例えば低い特権レベルに対応するものから順次アクセスを試みるようにしてもよい。
【００４７】
なお、決済方法は任意であり、例えば、電子マネーやデビットによる決済方法、金融機関を介した口座間の資金移動による決済方法等でもよい。
【００４８】
なお、この発明のシステムは、専用のシステムによらず、通常のコンピュータシステムを用いて実現可能である。例えば、コンピュータに上述の動作を実行するためのプログラムを格納した媒体（フロッピーディスク、ＣＤ−ＲＯＭ等）から該プログラムをインストールすることにより、上述の処理を実行する利用者端末１、受付サーバ２１、処理サーバ２２等を構成することができる。なお、上述の機能を、ＯＳが分担又はＯＳとアプリケーションの共同により実現する場合等には、ＯＳ以外の部分のみを媒体に格納してもよい。
【００４９】
なお、搬送波にプログラムを重畳し、通信ネットワークを介して配信することも可能である。例えば、通信ネットワークの掲示板（ＢＢＳ）に該プログラムを掲示し、これをネットワークを介して配信してもよい。
そして、このプログラムを起動し、ＯＳの制御下で、他のアプリケーションプログラムと同様に実行させることにより、上述の処理を実行することができる。
【００５０】
【発明の効果】
以上説明したように、本発明によれば、利用者端末において、所定の基準に従ってオーダの特権レベルを決定し、決定された特権レベルに対応する接続先を特定するようにしているため、例えばサービス運営上有益なオーダについては、対応する接続先の数が多い特権レベルを付与する等して、オーダ集中時等においても優先的な受付を可能とする。
【図面の簡単な説明】
【図１】本発明の実施形態に係るオーダ受付システムのシステム構成図である。
【図２】利用者端末の構成を説明するための図である。
【図３】接続先アドレスファイルを説明するための図である。
【図４】特権レベル管理テーブルの一例を示す図である。
【図５】特権レベルを決定する処理を説明するための図である。
【図６】特権レベル管理テーブルを生成する処理を説明するための図である。
【図７】図１のオーダ受付システムにおける利用者端末の動作を説明するためのフローチャートである。
【符号の説明】
１          利用者端末
２          サービスセンタ
１１        制御部
１２        記憶部
１３        入力部
１４        表示部
１５        出力部
１６        入出力制御部
２１        受付サーバ
２２        処理サーバ
２３        投票データベース
【図１】
0004226198.tif 000002
【図２】
0004226198.tif 000003
【図３】
0004226198.tif 000004
【図４】
0004226198.tif 000005
【図５】
0004226198.tif 000006
【図６】
0004226198.tif 000007
【図７】
0004226198.tif 000008